(57)【要約】  試適用床、及び、試適用床に排列された人工歯を有し、人工歯は、汎用の人工歯である試適具とする。
2019176178.tif 000002
【特許請求の範囲】
【請求項１】
義歯の咬合状態を調整する試適具であって、
試適用床、及び、前記試適用床に排列された人工歯を有し、
前記人工歯は、汎用の人工歯である、試適具。
【請求項２】
義歯を製造する方法であって、
請求項１に記載の試適具を作製する工程と、
前記試適具の前記人工歯に対して行われた咬合調整後の前記試適具の形状データを取得する工程と、
前記形状データに基づいて義歯床を作製する工程と、
前記試適具に配置されていた前記人工歯を前記義歯床に配置する工程と、を含む、
義歯の製造方法。
【請求項３】
義歯を製造する方法であって、
請求項１に記載の試適具を作製する工程と、
前記試適具の前記人工歯に対して行われた咬合調整後の前記試適具の形状データを取得する工程と、
前記形状データに基づいて義歯床、及び他の人工歯を作製する工程と、
前記他の人工歯を前記義歯床に配置する工程と、を含む、
義歯の製造方法。
【発明の詳細な説明】
【技術分野】
【０００１】
本開示は、試適具、及び義歯の製造方法に関する。
【背景技術】
【０００２】
近年、例えば特許文献１に開示されているように、ＣＡＤ／ＣＡＭを用いて義歯の設計から製造までをデータとして取り扱い、最終的には当該データに基づいてＮＣ工作機械を用いて削り出すことにより義歯を得る技術が用いられる。これによれば、従来から行われてきたロストワックス法に比べて工程が少なく、義歯をこれまでより短期間で精度よく製作することが可能である。【０００３】
作製する義歯に対して対向する位置に天然歯や歯科補綴物が存在する場合、及び、高度な咬合調整が必要な場合においては、咬合の適正を図るため試適が行われる。そしてこの試適の結果に基づいて調整を行い、最終的な義歯とする。特許文献１にも試適に関する事項が記載されている。
【先行技術文献】
【特許文献】
【０００４】
【特許文献１】特許第５９３２８０３号公報
【発明の概要】
【発明が解決しようとする課題】
【０００５】
従来の試適のための器具（試適具）は、ＣＡＤ／ＣＡＭで削り出した試適用床部と人工歯部とが一体に形成された仮のものであり、咬合の調整はこのような仮の人工歯部の歯面を削ることにより行われる。ところが、このような仮の人工歯部に対する咬合の調整を、最終の義歯に配置される人工歯に対して精度よく反映させることは難しく、最終の義歯における咬合状態に問題が生じることがあった。【０００６】
これに対して特許文献１に記載の試適具は、ＣＡＤ／ＣＡＭで削り出した試適用床部と人工歯部とが別体に形成されたものである。しかしながら、このようにＣＡＤ／ＣＡＭで形成した試適具を試適に用い、その結果に基づいてさらにＣＡＤ／ＣＡＭ等により義歯を作製するため、試適具にも最終義歯同様に手間がかかっていた。【０００７】
そこで本開示は、最終的に得る義歯で精度のよい咬合状態を簡易に得ることができる試適具を提供することを課題とする。またこの試適具を用いた義歯の製造方法を提供する。
【課題を解決するための手段】
【０００８】
本開示の１つの態様は、義歯の咬合状態を調整する試適具であって、試適用床、及び、試適用床に排列された人工歯を有し、この人工歯は汎用の人工歯とされる試適具である。
ここで「汎用の人工歯」とは、予め咬合面を付与された市販で入手可能な人工歯のことであり、レジンやセラミック等から作製されたものを意味する。また、より咬合調整を容易にするためＰＭＭＡ（ポリメタクリル酸メチル樹脂）などのフィラーを含まないアクリルレジン製の既存人工歯やワックス、パターン用レジンから施術者が作製した人工歯形態のものを含んでもよい。【０００９】
本開示の他の態様は、義歯を製造する方法であって、上記試適具を作製する工程と、試適具の人工歯に対して行われた咬合調整後の試適具の形状データを取得する工程と、形状データに基づいて義歯床を作製する工程と、試適具に配置されていた人工歯を義歯床に配置する工程と、を含む、義歯の製造方法である。【００１０】
本開示の他の態様は、義歯を製造する方法であって、上記試適具を作製する工程と、試適具の人工歯に対して行われた咬合調整後の試適具の形状データを取得する工程と、形状データに基づいて義歯床、及び他の人工歯を作製する工程と、他の人工歯を義歯床に配置する工程と、を含む、義歯の製造方法である。
【発明の効果】
【００１１】
本開示によれば、予め準備されている汎用の人工歯による試適具で咬合調整が行われ、この人工歯が直接義歯に適用、又は、この人工歯による咬合調整結果に基づいて他の人工歯が作製されるので、ＣＡＤ／ＣＡＭで試適具を作製することなく、簡易に咬合調整が精度よく義歯に反映される。
【図面の簡単な説明】
【００１２】
【図１】図１は試適具１０を側面から見た図である
【図２】図２は試適具１０を正面から見た図である。
【図３】図３は義歯２０を側面から見た図である。
【図４】図４は義歯２０を正面から見た図である。
【図５】図５は義歯２０を人工歯列２２側から平面視した図である。
【図６】図６は義歯床２１を凹部２１ｂ側から平面視した図である。
【図７】図７は人工歯２３の外観を表す図である。
【図８】図８は設計装置３０を概念的に示すブロック図である。
【図９】図９は義歯の製造方法Ｓ１０の流れを表す図である。
【図１０】図１０は義歯の作製の工程Ｓ１５の流れを表す図である。
【図１１】図１１は義歯の製造方法Ｓ２０の流れを表す図である。
【図１２】図１２は義歯の作製の工程Ｓ２５の流れを表す図である。
【発明を実施するための形態】
【００１３】
以下、各態様を図面に基づき説明する。ただし本発明はこれら各形態に限定されるものではない。
【００１４】
図１は１つの形態を説明する図であり、試適具１０を示した図である。図１は試適具１０を側面から見た図、図２は試適具１０を正面から見た図である。本形態では、上顎の義歯２０（図３、図４参照）のための上顎試適具１０であり、図１、図２には合わせて天然歯１ａによる天然歯列１も示している。試適具１０は、試適のために作製され、用いられる器具であり、試適具１０による咬合調整結果に基づいて義歯が作製される。
【００１５】
試適具１０は、試適用床１１、及び歯列部１２を有して構成されている。
【００１６】
試適用床１１は、義歯２０の義歯床２１（図３〜図６参照）に相当する形状を有する部位である。従って試適用床１１にはその一方の面に歯列部１２が形成されるとともに、その他方の面には破線で示したように口腔内の顎堤頂の形状に対応した凹部１１ａが形成されている。
試適用床１１を構成する材料は特に限定されることはないが、例えば蝋を挙げることができるが、形状の安定のためレジン等で作られてもよい。
【００１７】
歯列部１２は、義歯２０の人工歯列２２（図３〜図５参照）となる部位である。歯列部１２には、複数の人工歯１２ａが試適用床１１に歯列弓状をなして配列されてなる。そして人工歯１２ａは咬合面１２ｂを備えている。
ここで、本形態の人工歯１２ａは、予め準備された汎用の人工歯が用いられる。すなわち、本形態の試適具１０には、最終的に作製される義歯２０の人工歯２３としても適用可能な人工歯１２ａが用いられている。
【００１８】
以上のような試適具１０によれば、後述するように試適具１０の人工歯１２ａを削る等して咬合状態を調整し、この人工歯１２ａをそのまま義歯２０の人工歯２３として用いることもできる（後で示す「製造方法Ｓ１０」）。従ってこの場合には、予め準備された汎用の人工歯であるため、ＣＡＤ／ＣＡＭで試適具を作製することなく、簡易に試適具を作製できるとともに、調整した咬合状態が精度よく義歯２０に反映され、良好な咬合状態を得ることができる。
一方、試適具１０の人工歯１２ａを削る等して咬合状態を調整して、これに基づいて他の人工歯を作製してこれを義歯２０の人工歯２３とすることもできる（後で示す「製造方法Ｓ２０」）。この場合にも、試適具には、予め準備された汎用の人工歯が用いられているため、ＣＡＤ／ＣＡＭで試適具を作製することなく、簡易に試適具を作製できるとともに、調整した咬合状態が精度よく義歯２０に反映され、良好な咬合状態を得ることができる。また、この場合には診断情報や治療ステージによって人工歯の材質を選択することが可能となる。
【００１９】
本形態では、上顎側の試適具１０について説明したが、必ずしもこれに限定されることなく、下顎側の試適具であってもよく、上顎側及び下顎側の両方の試適具であってもよい。
【００２０】
次に、上記試適具１０を用いて義歯２０を作製する方法について説明する。本形態の義歯２０は上顎側に配置される義歯である。
【００２１】
図３には義歯２０の側面図、図４には義歯２０の正面図、図５には義歯２０のうち人工歯列２２側から平面視した図を表した。このような義歯２０が患者の口腔内に配置され、欠損してしまった天然歯を人工的に補っている。
【００２２】
図３〜図５よりわかるように、義歯２０は、義歯床２１及び複数の人工歯２３が排列された人工歯列２２を有して構成されている。図６には義歯床２１、図７には１つの例にかかる人工歯２３の外観を示した。
【００２３】
義歯床２１は、人工歯２３を所定の位置に保持するとともに、口腔粘膜上に義歯２０を安定して装着させる機能を有する部材である。本形態では図６からわかるように、人工歯２３が排列される部位として堤状の盛り上がった堤部２１ａを備えるとともに、この堤部２１ａの頂部に人工歯２３の一端が挿入され、人工歯２３が固定される凹部２１ｂが設けられている。
義歯床２１は後述するように切削加工によって作製されるので、一般的な床用レジン材料（アクリル系レジン）、フィラー及び架橋剤等を含んだレジン材料、エンジニアリングプラスチック、金属、セラミック焼結体等の硬質の材料を用いることが好ましい。
【００２４】
人工歯２３は、欠損した天然歯の代わりに、当該天然歯の機能を有するように作製された人工の歯牙である。人工歯２３は義歯床２１の上記凹部２１ｂにその一端が挿入されて接着剤により固定されることで保持される。これにより、複数の人工歯２３が歯列のように弓状に排列されて人工歯列２２となり、天然歯のように機能することができる。
【００２５】
この人工歯２３は、義歯２０の製造方法の違いにより、試適具１０に用いられた人工歯１２ａであってもよく（後で示す「製造方法Ｓ１０」）、人工歯１２ａを備える試適具１０による試適結果に基づいて作製した他の人工歯であってもよい（後で示す「製造方法Ｓ２０」）。
【００２６】
人工歯２３には人工歯に用いられる公知の材料を適用することができる。これには例えばセラミック、レジン、硬質レジン、及び金属を挙げることができる。
また、義歯床２１に人工歯２３を接着する材料としては、公知の材料を用いることができるが、これには例えば即時重合レジン、歯肉色レジン、義歯床用レジン、エポキシ接着剤等の公知の工業用接着剤、又はこれらの少なくとも２つの組み合わせ等が挙げられる。
【００２７】
ここで、人工歯２３には、人工歯２３を義歯床２１に配置したときに回転してしまうことを防止するための手段が設けられてもよい。これには例えば人工歯２３に円形でない突起を設け、凹部２１ｂ側にこの突起を挿入する穴を設ける態様を挙げることができる。
【００２８】
次に、義歯２０を製造する方法について説明する。
【００２９】
図８は、１つの形態にかかる義歯の設計装置３０に含まれる構成を概念的に表したブロック図である。義歯の設計装置３０（以下、「設計装置３０」と記載することがある。）は、入力手段３１、演算装置３２、及び表示手段３８を有している。そして演算装置３２は、演算手段３３、ＲＡＭ３４、記憶手段３５、受信手段３６、及び出力手段３７を備えている。また、入力手段３１にはキーボード３１ａ、マウス３１ｂ、及び記憶媒体の１つとして機能する外部記憶装置３１ｃが含まれている。
【００３０】
演算手段３３は、いわゆるＣＰＵ（中央演算子）により構成されており、上記した各構成部材に接続され、これらを制御することができる手段である。また、記憶媒体として機能する記憶手段３５等に記憶された各種プログラム３５ａを実行し、これに基づいて後で説明する各種データの生成やデータの選択をする手段として演算を行うのも演算手段３３である。
【００３１】
ＲＡＭ３４は、演算手段３３の作業領域や一時的なデータの記憶手段として機能する構成部材である。ＲＡＭ３４は、ＳＲＡＭ、ＤＲＡＭ、フラッシュメモリ等で構成することができ、公知のＲＡＭと同様である。
【００３２】
記憶手段３５は、各種演算の根拠となるプログラムやデータが保存される記憶媒体として機能する部材である。また記憶手段３５には、プログラムの実行により得られた中間、最終の各種結果を保存することができてもよい。より具体的には記憶手段３５には、プログラム３５ａ、人工歯形状データベース３５ｂ、義歯床形状データベース３５ｃが記憶（保存）されている。またその他の情報が併せて保存されていてもよい。
【００３３】
プログラム３５ａは設計装置３０を作動させるために必要なプログラムであり、特に限定されることはない。
【００３４】
人工歯形状データベース３５ｂは人工歯に関する形状等の情報が収納されたデータベースである。データベースに収納される人工歯形状の種類は特に限定されることはないが、歯列弓に含まれる複数の人工歯が１つの組となり、上下の歯列弓が咬みあわせされた状態でデータとして収納されている態様でもよい。そしてこのデータは、１つ１つの人工歯ごとの他、いくつかの人工歯が含まれる分割された、いくつかのユニットで取り扱えるように構成してもよい。
このような人工歯の組は、例えば「性別」、「体格」等、患者の特徴に合わせるための複数のバリエーションを有したものが準備されていることが好ましい。
また、当該人工歯形状データベース３５ｂには、上記説明した回転を規制する手段の形態も含まれていてもよい。
【００３５】
義歯床形状データベース３５ｃは、義歯床に関する形状等の情報が収納されたデータベースである。このデータベースに収納される義歯床に関するデータの態様は特に限定されることはないが、例えば「人工歯が取り付けられる部位を含む上半分のみ」が咬合された人工歯データとの位置関係（例えば接着用の０．１ｍｍ以上０．５ｍｍ以下のスペース等）を持って配置されている状態のデータが収納されていてもよい。
バリエーションについても人工歯の大きさに合わせた組み合わせで３種類〜４種類の大きさのデータがあることが好ましい。
当該義歯床形状データベース３５ｃには、取り付けた人工歯の回転を規制する手段の形態も含まれていてもよい。
【００３６】
受信手段３６は、外部からの情報を演算装置３２に適切に取り入れるための機能を有する構成部材であり、入力手段３１が接続される。いわゆる入力ポート、入力コネクタ等もこれに含まれる。
【００３７】
出力手段３７は、得られた結果のうち外部に出力すべき情報を適切に外部に出力する機能を有する構成部材であり、モニター等の表示手段３８や各種装置がここに接続される。いわゆる出力ポート、出力コネクタ等もこれに含まれる。
【００３８】
入力装置３１には、例えばキーボード３１ａ、マウス３１ｂ、外部記憶装置３１ｃ等が含まれる。キーボード３１ａ、マウス３１ｂは公知のものを用いることができ、説明は省略する。
外部記憶装置３１ｃは、公知の外部接続可能な記憶手段であり、記憶媒体としても機能する。ここには特に限定されることなく、必要とされる各種プログラム、データを記憶させておくことができる。例えば上記した記憶手段３５と同様のプログラム、データがここに記憶されていても良い。また、演算装置３２によるデータ生成の際の基礎となる印象データや咬合関係のデータ等を外部記憶装置３１ｃに記憶しておいてもよい。
外部記憶装置３１ｃとしては、公知の装置を用いることができる。これには例えばＣＤ−ＲＯＭ、ＣＤ−ＲＯＭドライブ、ＤＶＤ、ＤＶＤドライブ、ハードディスク、及び、各種メモリ等を挙げることができる。
【００３９】
また、その他、ネットワークや通信により受信手段３６を介して演算装置３２に情報が提供されてもよい。同様にネットワークや通信により出力手段３７を介して外部の機器（例えばＮＣ工作機械）に情報を送信することができてもよい。
【００４０】
このような設計装置３０によれば、義歯床を直接削り出すことができ、ロストワックス法のような複雑な工程を経ることなく義歯を作製することが可能となる。
【００４１】
次に、第１の形態にかかる、試適具１０、及び義歯２０を製造する方法Ｓ１０（「製造方法Ｓ１０」と記載することがある。）について説明する。ここではわかりやすさのため設計装置３０を用いた例により説明するが、当該製造する方法はこれに限定されるものではなく、以下の趣旨を含む方法を可能とするものであれば他の装置で行うこともできる。
【００４２】
図９に製造方法Ｓ１０の流れを示した。ここからわかるように製造方法Ｓ１０は、試適具の作製の工程Ｓ１１、咬合の調整の工程Ｓ１２、デジタル化の工程Ｓ１３、義歯の設計の工程Ｓ１４、及び義歯の作製の工程Ｓ１５を含む。以下それぞれの工程について説明する。
本形態は、義歯２０に用いる人工歯２３に、試適具１０に用いた人工歯１２ａを用いる例である。
【００４３】
工程Ｓ１１は、試適具１０を作製する工程である。具体的には印象採得により得た印象に対して石膏模型を作製し、この石膏模型に蝋を用いて試適用床となる咬合床を作製する。そしてこの蝋による咬合床に人工歯１２ａを排列して試適具１０とする。
【００４４】
工程Ｓ１２は、咬合の調整を行う工程である。具体的には、工程Ｓ１１で得られた試適具１０を患者の口腔内又は咬合機に配置して咬合の調整を行う。咬合の調整は通常の通りであるが、例えば咬合面１２ｂを削ることや、人工歯１２ａの移動により行われる。
【００４５】
工程Ｓ１３は、工程Ｓ１２で得られた咬合調整が行われた試適具１０から、該試適具１０のＣＡＤデータを得る工程である。ＣＡＤデータを得る方法は公知の装置を用いて行うことができ、例えば３次元の光学スキャナを挙げることができる。
【００４６】
工程Ｓ１４は、工程Ｓ１３で得られたデータに基づいて、作製される義歯２０の形状を決める工程である。具体的には、工程Ｓ１３で得られたデータ及び設計装置３０に保存されたデータベースにより、義歯の形状をデータ上で決定する。このとき、工程Ｓ１３で得られたデータの人工歯部の側面（未調整部）を基準として人工歯の位置を決め、これに対して義歯床への人工歯の結合部（凹部２１ｂ、ソケット部）の形状も併せて決められる。
そして、工程Ｓ１４では、決定した義歯データから人工歯形状データベース３５ｂ（図８参照）に保存された人工歯データに基づいて人工歯部分のデータを削除し、義歯床切削のための加工データ作成してこの加工データを義歯の作製の工程Ｓ１５（工作機械）に出力する。
本形態における工程Ｓ１４で行われる各演算は設計装置３０により行われる。すなわち、設計装置３０に備えられる記憶装置３５に保存されたプログラム３５ａに沿って演算手段３３が演算をすることにより進められる。従って、ここで取り扱われる各種の形状は、いずれもデータとして存在し、データとして取り扱われる。
【００４７】
工程Ｓ１５は、工程Ｓ１４から出力された工作機械への義歯用の加工データを受信して形状を削り出すとともに、義歯２０として仕上げる工程である。
図１０には工程Ｓ１５の流れを示した。図１０からわかるように、工程Ｓ１５は、義歯床への人工歯の取り付けの工程Ｓ１５ａ、及び仕上げ研磨の工程Ｓ１５ｂを備えている。
【００４８】
ここで工作機械は公知の物を用いることができ、特に限定されるものではなく、公知のＮＣ工作機械で行うことができる。ここで用いられる義歯床２１の材料は一般的な床用レジン材料（アクリル系レジン）、フィラー及び架橋剤等を含んだレジン材料、エンジニアリングプラスチック、金属、セラミック焼結体等の硬質の材料を用いることが好ましい。このような材料により形成されていることで、切削が適切に精度よく行える。
【００４９】
工程Ｓ１５ａは、義歯床２１に人工歯１２ａを取り付ける工程である。義歯床２１の凹部２１ｂに人工歯１２ａを配置して接着剤で固定する。ここで、人工歯１２ａは、試適具１０に用いられ、既に工程Ｓ２０で咬合面１２ｂや移動することにより適切に咬合状態が調整された人工歯であるので、精度よく咬合が調整された状態にある。
【００５０】
工程Ｓ１５ｂは、工程Ｓ１５ａで得られた義歯に対して仕上げ研磨を施し、最終的に義歯２０を得る。
【００５１】
以上のように、製造方法Ｓ１０によれば、試適具１０の人工歯１２ａを削って咬合状態を調整し、この人工歯１２ａをそのまま義歯２０の人工歯２３として用いることができる。従って予め準備された汎用の人工歯であるため、ＣＡＤ／ＣＡＭで試適具を作製することなく、簡易に試適具を作製できるとともに、調整した咬合状態が精度よく義歯２０に反映され、良好な咬合状態を得ることができる。
【００５２】
次に、第２の形態にかかる、試適具１０、及び義歯２０を製造する方法Ｓ２０（「製造方法Ｓ２０」と記載することがある。）について説明する。ここでもわかりやすさのため設計装置３０を用いた例により説明するが、当該製造する方法はこれに限定されるものではなく、以下の趣旨を含む方法を可能とするものであれば他の装置で行うこともできる。
【００５３】
図１１に製造方法Ｓ２０の流れを示した。ここからわかるように製造方法Ｓ２０は、試適具の作製の工程Ｓ２１、咬合の調整の工程Ｓ２２、デジタル化の工程Ｓ２３、義歯の設計の工程Ｓ２４、及び義歯の作製の工程Ｓ２５を含む。以下それぞれの工程について説明する。
本形態は、義歯２０に用いる人工歯２３に、試適具１０による咬合調整結果に基づいて作製した他の人工歯を用いる例である。
【００５４】
工程Ｓ２１は、試適具１０を作製する工程である。印象採得により得た印象に対して石膏模型を作製し、この石膏模型上に基礎床及び蝋を用いて試適用床となる咬合床を作製する。そしてこの蝋による咬合床に人工歯１２ａを排列して試適具１０とする。
【００５５】
工程Ｓ２２は、工程Ｓ１２と同様に、咬合の調整を行う工程である。すなわち、工程Ｓ２１で得られた試適具１０を患者の口腔内又は咬合機に配置して咬合の調整を行う。咬合の調整は通常の通りであるが、例えば咬合面１２ｂを削ることや、人工歯１２ａの移動により行われる。
【００５６】
工程Ｓ２３は、工程Ｓ１３と同様に、工程Ｓ２２で得られた咬合調整が行われた試適具１０から、該試適具１０のＣＡＤデータを得る工程である。ＣＡＤデータを得る方法は公知の装置を用いて行うことができ、例えば３次元の光学スキャナを挙げることができる。
【００５７】
工程Ｓ２４は、工程Ｓ２３で得られたデータに基づいて、作製される義歯２０の形状を決める工程である。具体的には、工程Ｓ２３で得られたデータ及び設計装置３０に保存されたデータベースにより、義歯の形状をデータ上で決定する。
本形態では、義歯床２１の形態は工程Ｓ２３で得られたデータが用いられて義歯床２１のデータとなる。
一方、人工歯２３の形態は、工程Ｓ２３で得られた人工歯１２ａによるデータと、人工歯形状データベース３５ｂ（図８参照）に保存された人工歯データとが重ね合わされる。そして、データベースによる人工歯データを人工歯１２ａによるデータに基づいて変形し、義歯２０のための人工歯２３の形状とした人工歯の加工データを作成する。これによれば、診断情報や治療ステージによって人工歯の材質を選択することが可能である。
【００５８】
このとき、工程Ｓ２３で得られたデータの人工歯部の側面（未調整部）を基準として人工歯の位置を決め、これに対して義歯床への人工歯の結合部（凹部２１ｂ、ソケット部）の形状も併せて決められる。
【００５９】
そして、工程Ｓ２４では、決定した義歯データから、工程Ｓ１４と同様に義歯床２１のデータと人工歯２３のデータとを分離し、それぞれのための加工データ作成し、この加工データを義歯の作製の工程Ｓ２５（工作機械）に出力する。
本形態における工程Ｓ２４で行われる各演算は設計装置３０により行われる。すなわち、設計装置３０に備えられる記憶装置３５に保存されたプログラム３５ａに沿って演算手段３３が演算をすることにより進められる。従って、ここで取り扱われる各種の形状は、ずれもデータとして存在し、データとして取り扱われる。
【００６０】
工程Ｓ２５は、工程Ｓ２４から出力された工作機械への義歯用の加工データ、人工歯の加工データを受信してそれぞれを削り出すとともに、義歯２０、人工歯２３として削り出す等して義歯を仕上げる工程である。
図１２には工程Ｓ２５の流れを示した。図１２からわかるように、工程Ｓ２５は、義歯床２１への人工歯２３の取り付けの工程Ｓ２５ａ、及び仕上げ研磨の工程Ｓ２５ｂを備えている。
【００６１】
ここで工作機械は公知の物を用いることができ、特に限定されるものではなく、公知のＮＣ工作機械で行うことができる。
【００６２】
工程Ｓ２５ａは、義歯床２１に人工歯２３を取り付ける工程である。義歯床２１の凹部２１ｂに人工歯２３を配置して接着剤で固定する。
【００６３】
工程Ｓ２５ｂは、工程Ｓ２５ａで得られた義歯に対して仕上げ研磨を施し、最終的に義歯２０を得る。
【００６４】
以上のように、製造方法Ｓ２０によれば、試適具１０の人工歯１２ａを削って咬合状態を調整し、この人工歯１２ａにより義歯２０の人工歯２３を作製する。従って、試適具の人工歯は予め準備された汎用の人工歯であるため、ＣＡＤ／ＣＡＭで試適具を作製することなく、簡易に試適具を作製できるとともに、調整した咬合状態が精度よく義歯２０に反映され、良好な咬合状態を得ることができる。
【符号の説明】
【００６５】
１０  試適具
１１  試適用床
１２  歯列部
１２ａ  人工歯
１２ｂ  咬合面
２０  義歯
２１  義歯床
２１ａ  堤
２１ｂ  凹部
２２  人工歯列
２３  人工歯
【図１】
2019176178.tif 000003
【図２】
2019176178.tif 000004
【図３】
2019176178.tif 000005
【図４】
2019176178.tif 000006
【図５】
2019176178.tif 000007
【図６】
2019176178.tif 000008
【図７】
2019176178.tif 000009
【図８】
2019176178.tif 000010
【図９】
2019176178.tif 000011
【図１０】
2019176178.tif 000012
【図１１】
2019176178.tif 000013
【図１２】
2019176178.tif 000014
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
形状データの取得に供され、石膏模型から取られる蝋による試適用床を有する試適具であって、
前記試適用床、及び、前記試適用床に排列及び咬合調整された人工歯を有し、
前記人工歯は、汎用の人工歯である、試適具。
【請求項２】
義歯を製造する方法であって、
得られた印象に対して石膏模型を作製し、該石膏模型から蝋を用いて咬合床を作製し、該咬合床に人工歯を排列し、及び咬合調整をして試適具を作製する工程と、
前記試適具の前記人工歯に対して行われた前記咬合調整をした後の前記試適具の形状データを取得する工程と、
前記形状データに基づいて義歯床を作製する工程と、
前記試適具に配置されていた前記人工歯を前記義歯床に配置する工程と、を含む、
義歯の製造方法。
【請求項３】
義歯を製造する方法であって、
得られた印象に対して石膏模型を作製し、該石膏模型から蝋を用いて咬合床を作製し、該咬合床に人工歯を排列し、及び咬合調整をして試適具を作製する工程と、
前記試適具の前記人工歯に対して行われた前記咬合調整をした後の前記試適具の形状データを取得する工程と、
前記形状データに基づいて義歯床、及び他の人工歯を作製する工程と、
前記他の人工歯を前記義歯床に配置する工程と、を含む、
義歯の製造方法。
【国際調査報告】
2019176178.tif 000015
2019176178.tif 000016
2019176178.tif 000017
2019176178.tif 000018